(57)【要約】      （修正有）【課題】脚立を据付ける時、床面に一寸の凸凹があっても、脚立が揺れず、作業者が安心して作業出来る。【解決手段】上部が狭く下部が広い三角形の２個の梯子枠が、斜めの脚柱側を軸として開脚する様に、脚柱１と脚柱２を蝶番７で取り付け、開脚した時は自立出来る三角錐型脚立となり、乗降は蝶番で接続した２本の脚柱側を正面として据付け、脚柱をまたぎながら左右の梯子枠の踏板５、６を足で交互に踏んで行う。作業する時は、作業者の両膝で脚柱を締付ける事により、体の揺れを止め、脚立の最上段の踏板の上の作業を含めて細部の作業も丁寧に実施出来る様にする。【選択図】図１
0003109748.tif 000002
【実用新案登録請求の範囲】
【請求項１】
１  上部が狭く下部が広い三角形の２個の梯子枠が、斜めの脚柱側を軸として開脚する様に、脚柱と脚柱を蝶番で取り付け、開脚した時は自立出来る三角錐型の脚立となり、乗降は蝶番で接続した２本の脚柱側を正面として据付け、脚柱をまたぎながら左右の梯子枠の踏板を足で交互に踏んで行う。
２  左右の踏板の表面へ人間の左足型及び右足型を取付け、脚立の使用説明書がなくても、三角錐の稜線である脚柱をまたぎながら、乗降する脚立である事が直ぐ分かる様にして、脚立へ乗降する正面位置を明示する。
３  左右の三角形梯子枠の最上段横桟は、踏板を取り付けず、脚立作業中に使用する工具などの引掛けに利用する。
４  脚立正面の２本並んだ脚柱は、作業をする時、作業者が両膝で締め付ける事により、作業者の体の揺れが止まるので、作業者は両手を離して、丁寧な作業を安全に実施する為に利用する。
５  脚立の開脚する側の一方の脚柱に、長短２個の連結棒を取付けて、２個の脚立を、互いに背面となる様に据付け、２個の連結棒を相手の脚柱に位置を加減して連結する事により、２個の脚立が一体となり、強固な即席足場になる様にする。
以上の構成からなる脚立。
【考案の詳細な説明】
【技術分野】
【０００１】  本考案は、多少の凹凸がある床面でも、脚立を安定して据え付ける事が出来、作業者が両膝で脚柱を締め付ける事で、体の揺れが止まり補助者がなくても安心して作業が出来る事に関するものである。
【背景技術】
【０００２】  従来の脚立は四点支持脚立の為、床面に一寸の凹凸があると、脚立が揺れて安定せず、作業者は安心して作業出来なかった。【０００３】  従来の脚立は、作業者が脚立の踏板上に立っているだけの為、体が揺れて、細部の仕事が困難であった。
【考案の開示】
【考案が解決しようとする課題】
【０００４】  解決するための問題点は、脚立を据付ける時、床面に一寸の凹凸があっても、脚立が揺れず、作業者が安心して作業出来る事である。【０００５】  作業者が脚立で作業する時、体の揺れがなく、細部の仕事も丁寧に実施出来る事である。
【課題を解決するための手段】
【０００６】  本考案は、上部が狭く下部が広い三角形の２個の梯子枠が斜め脚柱側を軸として開脚する様に、脚柱と脚柱を蝶番で取り付け、開脚した時は自立出来る三角錐の脚立となり、乗降は、蝶番で接続した２本の脚柱側を正面として据付け、脚柱をまたぎながら左右の梯子枠の踏板を足で交互に踏んで行い、脚立正面の２本並んだ脚柱は、作業をする時、各段の踏板上で、作業者が両膝で締め付ける事により、最上段の踏板上を含めて、体の揺れが止まり、作業者は両手を離して、丁寧な作業を、安全に実施出来る事を最も主要な特徴とする。
【考案の効果】
【０００７】  本考案の三角錐型脚立は三点支持の働きをし、凹凸の床面でも脚立の据付けが良く、脚立は、ガタカタ揺れず、作業者は安心して乗降が出来ます。そして、乗降する時は三角錐の稜線をまたぎながら、両足の間にある２本並んだ脚柱を、両手で掴み、左右の踏板を交互に踏んで行いますので、女子や老人も安心して利用出来ます。又、作業する時は、両足の間にある脚柱を作業者の両膝で締め付けますと、体の揺れが止まり、両手で細部の作業も丁寧に実施出来ます。そして、脚立の最上段踏板に立った場合も、作業者の両足の間に２本並んだ脚柱があるので、下段の場合と同様に両膝で脚柱を締め付ける事が出来、体の揺れもなく細部の作業も安心して実施出来ます。そして、三角枠の最上段の横桟は、作業をする時の工具などを引っ掛ける場所になるので、作業者は、必要な工具や材料だけを持って、安心した作業が出来ます。次に良い事は、脚立が開脚する一方の脚柱に長短２個の連結棒を取り付け、２個の脚立が互いに背面となる様にし、２個の連結棒を相手の脚柱に位置を加減して連結する事により、２個の脚立が一体となり強固な足場が直ぐに出来ます。これは、凹凸の多い戸外作業で従来脚立にない効果です。
【考案を実施するための最良の形態】
【０００８】  上部が狭く下部が広い三角形の２個の梯子枠が斜め脚柱側を軸として開脚する様に、脚柱と脚柱を蝶番で取り付け、開脚した時は、自立出来る三角錐の脚立となり、乗降は、蝶番で接続した２本の脚柱側を正面として据付け、三角錐の稜線である２本並んだ脚柱をまたぎながら、左右の梯子枠の踏板を足で交互に踏んで行う。次に、この三角錐型脚立は、従来脚立の様に脚立の梯子面から乗降するのでなく三角錐の稜線をまたいで乗降する構成なので、脚立の正面は梯子面でありません。それで、脚立の乗降する正面を誤らない為、左右の踏板の表面へ人間の左足型及び右足型を取付け、脚立の使用説明書がなくても、三角錐の稜線である脚柱をまたぎながら、乗降する脚立である事が直ぐ分かる様にして脚立へ乗降する正面位置を明示します。次に、左右の三角形梯子枠の最上段横桟は、踏板を取付けず、直ぐ実施する作業では使用しない工具などを引っ掛け、必要な工具と材料だけを持って作業します。又、脚立正面の２本並んだ脚柱は、作業者が両膝で締め付ける事により、作業者の体の揺れが止まり、作業者は両手を離しても、作業を安全に実施する為に利用します。次に、脚立の開脚する側の一方の脚柱に、長短２個の連結棒を取付けて、２個の脚立を、互いに背面となる様に据付け、２個の連結棒を相手の脚柱に位置を加減して連結する事により、２個の脚立が一体となり、前後左右に倒れない強固な足場が出来る様にします。
【実施例】
【０００９】  図１は、三角錐型脚立の最上段踏板に立ち上がった場合、作業者が両足の膝で、脚柱を締め付ける状態の正面図であり、図２は、三角錐型脚立の最上段踏板に立ち上がった時、作業者の両足膝位置の側面図であり、又、図３は、三角錐型脚立の正面図であり、図４は、三角錐型脚立の平面図であるが、この考案は、上部が狭く下部が広い三角形の２個の梯子枠が斜め脚柱側を軸として開脚する様に、脚柱（１）と脚柱（２）を蝶番（７）で取り付け、開脚した時は、自立出来る三角錐の脚立となり、乗降は、蝶番（７）で接続した２本の脚柱側を正面として据付け、三角錐の稜線である２本並んだ脚柱をまたぎながら、左右の梯子枠の踏板（５）（６）を足で交互に踏んで行う。次に、この三角錐型脚立は、従来脚立の様に脚立の梯子面から乗降するのでなく三角錐の稜線をまたいで乗降する構成なので、脚立の正面は梯子面でありません。それで、脚立の乗降する正面を誤らない為、左右の踏板（５）（６）の表面へ人間の左足型（１４）及び右足型（１３）を取付け、脚立の使用説明書がなくても、三角錐の稜線である脚柱（１）（２）をまたぎながら、乗降する脚立である事が直ぐ分かる様にして脚立へ乗降する正面位置を明示します。次に、左右の三角形梯子枠の最上段横桟（８）は踏板を取付けず、直ぐ実施する作業では使用しない工具などを引っ掛け、必要な工具と材料だけを持って作業します。又、脚立正面の２本並んだ脚柱（１）（２）は、作業者が両膝で締め付ける事により、作業者の体の揺れが止まり、作業者は両手を離しても作業を安全に実施する為に使用します。これは、最上段の踏板上の作業でも同様であり、従来脚立では、最上段の天板に立ち上がって墜落する事故が多く、現場作業安全の重大事項になっていたのを解決しました。次に、脚立の開脚する側の一方の脚柱（３）に、長短２個の、連結棒（１５）（１６）を取付けて、２個の脚立を、互いに背面となる様に据付け、２個の連結棒（１５）（１６）を相手の脚柱に、高さや方向を加減して連結する事により、２個の脚立が一体となり前後左右に倒れない強固な足場にします。
【産業上の利用可能性】
【００１０】  本考案は、三点支持脚立の為、少しの凹凸床面でも、ガタガタ揺れません、又、脚柱を両膝で締付けると、作業者の体の揺れがとまり、安心して細部の作業を丁寧に実施出来ます。その為、従来の四点支持脚立の様に、補助者が、脚立を押さえている必要がなく、女子や老人が住む一般家庭でも安心して利用が出来ます。又、床面に凹凸の多い建設現場では、前後に倒れないが、左右に直ぐ倒れる従来の四点支持脚立に変わって、三角錐型脚立を使用する事が多くなります。更に、連結棒による２個の脚立の強固な足場は、便利な即席足場として利用価値が多く、戸外作業の多い土木関係や造園関係の現場では、注目すべき脚立になります。
【図面の簡単な説明】
【００１１】
【図１】本考案の三角錐型脚立の最上段踏板に立ち上がった場合、作業者者の両足の膝で、脚柱を締め付ける状態の正面図。
【図２】本考案の三角錐型脚立の最上段踏板に立ち上がった場合、作業者の両足の膝位置の側面図。
【図３】本考案の三角錐型脚立の正面図。
【図４】本考案の三角錐型脚立の平面図。
【図５】本考案の三角錐型脚立を開脚した時の脚立上部平面図
【図６】本考案の三角錐型脚立を開脚した時の脚立下部平面図。
【図７】本考案の三角錐型脚立を２脚、互いが背面で据付け、連結棒で、２脚を連結した場合の側面図。
【図８】本考案の三角錐型脚立を２脚、互いが背面で据付け、連結棒で、２脚を連結した場合の平面図。
【図９】本考案の三角錐型脚立の連結棒で連結した状態の側面図。
【図１０】本考案の三角錐型脚立の連結棒で連結した状態の断面図。
【符号の説明】
【００１２】  １  脚立正面側の右脚柱。
２  脚立正面側の左脚柱。
３  脚立開脚側の右脚柱。
４  脚立開脚側の左脚柱。
５  梯子枠の右踏板。
６  梯子枠の左踏板。
７  蝶番。
８  右梯子枠の最上段横桟。
９  左梯子枠の最上段横桟。
１０  作業者。
１１  作業者の足。
１２  脚立の開きとめ。
１３  右足型。
１４  左足型。
１５  連結棒（長）
１６  連結棒（短）
１７  連結棒のピン。
【図１】
0003109748.tif 000003
【図２】
0003109748.tif 000004
【図３】
0003109748.tif 000005
【図４】
0003109748.tif 000006
【図５】
0003109748.tif 000007
【図６】
0003109748.tif 000008
【図７】
0003109748.tif 000009
【図８】
0003109748.tif 000010
【図９】
0003109748.tif 000011
【図１０】
0003109748.tif 000012